(57)【要約】【課題】撮影直後、画面内の予め選択されたピント位置を自動的に拡大することにより、撮影する度毎に簡単に撮影画面のピント状態を確認することができるディジタルカメラのピント確認方式を提供する。【解決手段】光学ファイダ内の撮影画面内において、５箇所のフォーカスターゲットのうち、被写体３５のピント位置として選択ターゲット３６が選択されている。撮影直後、液晶モニタ６に自動的に撮影画像が拡大表示される。ユーザは特別な操作をすること無く、撮影画像をモニタで拡大してピント状態を確認することが出来る。【選択図】　　　　図５
2004064259.tif 000002
【特許請求の範囲】
【請求項１】
撮影時、被写体のピント状態を確認する位置を選択する選択手段と、
前記選択手段で選択した位置の画像を拡大する拡大制御手段と、
撮影直後に拡大画のレビュー表示を自動的に行うレビュー表示制御手段と、
を有することを特徴とするディジタルカメラのピント確認方式。
【請求項２】
複数枚の駒を１回のレリーズで撮影するモードを有するディジタルカメラにおいて、
撮影時、被写体のピント状態を確認する位置を選択する選択手段と、
前記選択手段で選択した位置の画像を拡大する拡大制御手段と、
撮影直後、１駒目もしくは最終駒の所定位置を自動的にモニタ画面内に拡大表示した後、画送り操作がなされたとき、次にもしくは前に撮影した画像の所定位置をモニタ画面に拡大表示するように制御する多数枚レビュー表示制御手段
を有することを特徴とするディジタルカメラのピント確認方式。
【請求項３】
光学ファインダ内またはモニタ内に複数のフォーカスターゲットを有し、
前記選択手段はその内の１つを自動で選択するか、または手動で選択できるように構成したことを特徴とする請求項１または２記載のディジタルカメラのピント確認方式。
【請求項４】
前記選択手段で撮影した位置の拡大率を設定できる拡大率設定手段を有することを特徴とする請求項１，２または３記載のディジタルカメラのピント確認方式。
【発明の詳細な説明】
【０００１】
【発明の属する技術分野】
本発明は、モニタ付きディジタルカメラ、さらに詳しくいえば一眼レフ形式のディジタルカメラに好適に適用できる撮影画像ピント確認方式に関する。
【０００２】
【従来の技術】
ディジタルカメラはコンパクトカメラ形式と一眼レフ形式のディジタルカメラに大別される。前者は背面などに配置された液晶画面で撮影すべき被写体像を見ながら構図を決めるものである。後者はリターンミラーで被写体像を光学ファインダに導びいて被写体像を確認し、撮影前には背面等に配置された液晶画面で被写体像を映し出すことができないタイプである。
【０００３】
【発明が解決しようとする課題】
いずれのタイプのディジタルカメラで撮影した画像についてもピント確認を行うことは重要である。
従来は撮影直後に撮影画像のピント確認を行う場合、液晶画面に再生された画像の部分拡大機能を用い、確認したい部分を選択して拡大するという手順を毎回行なう必要があった。
ピントを確認する場合、このような手順を繰り返し行うことは操作が煩雑であり不便である。
ピント確認を円滑にできるということは、一眼レフ形式のディジタルカメラでは撮影前に液晶画面でその画像を確認することができないことから特に必要なことである。
本発明の目的は、撮影直後、撮影者が予め選択した位置または自動選択された位置の画像を撮影後に自動的に拡大することにより、撮影する度毎に簡単に撮影画面のピント状態を確認することができるディジタルカメラのピント確認方式を提供することにある。
【０００４】
【課題を解決するための手段】
前記目的を達成するために本発明によるディジタルカメラのピント確認方式は、撮影時、被写体のピント状態を確認する位置を選択する選択手段と、前記選択手段で選択した位置の画像を拡大する拡大制御手段と、撮影直後に拡大画のレビュー表示を自動的に行うレビュー表示制御手段とを備えている。
また本発明は、複数枚の駒を１回のレリーズで撮影するモードを有するディジタルカメラにおいて、撮影時、被写体のピント状態を確認する位置を選択する選択手段と、前記選択手段で選択した位置の画像を拡大する拡大制御手段と、撮影直後、１駒目もしくは最終駒の所定位置を自動的にモニタ画面内に拡大表示した後、画送り操作がなされたとき、次にもしくは前に撮影した画像の所定位置をモニタ画面に拡大表示するように制御する多数枚レビュー表示制御手段とを備えている。
さらに本発明は請求項１または２において、光学ファインダ内またはモニタ内に複数のフォーカスターゲットを有し、前記選択手段はその内の１つを自動で選択するか、または手動で選択できるように構成されている。
さらには本発明は請求項１または２において、前記選択手段で撮影した位置の拡大率を設定できる拡大率設定手段を有している。
【０００５】
【作用】
上記構成によれば、撮影直後に特別の操作をすることなく、撮影した駒の拡大画像のピント状態を確認でき、例えば、前ピン，後ピン，ピント位置を１回のレリーズで連続撮影する場合にも、撮影後に手間を掛けることなく、複数枚の画像を自動的に拡大してピント位置を確認できる。
【０００６】
【発明の実施の形態】
以下、図面を参照して本発明の実施の形態を詳しく説明する。
図１は、本発明によるピント確認方式を適用したディジタルカメラの外観を示す斜視図である。
ディジタルカメラ１の光学ファインダ３７の下部（背面中央）に液晶モニタ６が配置されている。ディスプレイボタン７の操作により液晶モニタ６をオンオフできる。背面中央にモードダイヤル２が設けられ、その上にモードダイヤルロック解除ボタン３が搭載されている。モードダイヤル２の上部には、Ｗ．ＢＡＬ／決定ボタン５およびキャンセルボタン４が配置されている。
【０００７】
背面上部右寄りにオートを選択するレバー８ならびにマニュアルＡＦ，シングルＡＦおよびコンティニュアスＡＦを選択できるフォーカスボタン９が設けられている。
【０００８】
図２は、ピント確認機能の設定を説明するための図である。
例えば、シングルＡＦまたはコンティニュアスＡＦの何れかがフォーカスボタン９で選択されているとする。モードダイヤルロック解除ボタン３を押した状態でモードダイヤル２を回し、セットアップを選択する。液晶モニタ６には、図２（ａ）に示すメインメニューが表示され、各モードを電子ダイヤルで選択することができる。本図は「ピント確認」を選んだ状態であり、Ｗ．ＢＡＬ／決定ボタン５を押すと、図２（ｂ）に示す画面が表示される。「する」を選択し、Ｗ．ＢＡＬ／決定ボタン５を押すと、図２（ｃ）に示す画面が表示される。ピント確認倍率「４×」を選択し、Ｗ．ＢＡＬ／決定ボタン５を押すと、元のメニュー画面が表示され設定を確認することができる（図２（ｄ））。
【０００９】
図３は、本発明によるピント確認方式を適用したカメラの制御回路の実施の形態を示すブロック図である。
カメラの内部機構は大別してカメラ部１１，ディジタル部１２および電源ブロック１３より構成されている。
カメラ部１１は、カメラＣＰＵ１４，測光回路１５，測距回路１６，シャッタ制御回路１７，ストロボ制御回路１８，バッテリーチェック回路（１）１９，ＬＣＤパネル（１）２０および電源回路２１を含んでいる。ディジタル部１２はシステムＣＰＵ２４，ＣＣＤ回路ブロック２５，電源制御ＳＷ（１）２６ａ，電源制御ＳＷ（２）２６ｂ，ＬＣＤパネル（２）２７，ＳＷ状態入力部２８，バッテリーチェック回路（２）２９，専用ＩＣ３０，ディジタルシグナルプロセッサ３１およびメモリ３２を含んでいる。電源ブロック１３はＡＣ電源２２または電池電源２３より構成されている。
【００１０】
カメラＣＰＵ１４はシステムＣＰＵ２４と通信を行い、カメラ機構の動作を制御する。測光，測距制御を行った後、レリーズ操作に基づく信号によりシャッタ制御，ストロボ制御（ストロボ発光の場合）を行う。電源回路２１は電源制御ＳＷ（１）２６ａを介してＡＣ電源２２または電池電源２３に接続され、カメラ部の各回路に電源を供給する。バッテリーチェック回路（１）１９はレリーズ操作にしたがって動作し、カメラ１の上面に配置されているＬＣＤパネル（１）２０にカメラ部１１の電源状態（バッテリー状態）を表示する。
【００１１】
自動選択か手動選択かはフォーカスボタン９により選択でき、その情報はＳＷ状態入力部２８からシステムＣＰＵ２４を経由してカメラＣＰＵ１４に送られる。複数のフォーカスフレームから１つのピント位置が自動選択される場合にはカメラＣＰＵ１４は測距回路１６からの測距データに基づきいずれかのフォーカスフレームを選択する。通常は最も手前にある被写体にかかるフォーカスフレームが選択されるようになっている。また、手動の場合には、マニュアル選択レバー１０によってフォーカスフレームを選択することができる。その情報はＳＷ状態入力部２８からシステムＣＰＵ２４を経由してカメラＣＰＵ１４に送られる。
【００１２】
システムＣＰＵ２４は、カメラモード状態およびメインＳＷ状態入力部２８からの情報により電源制御ＳＷ（１）２６ａおよび（２）２６ｂをオンオフ制御する。システムＣＰＵ２４は、モードダイヤル２の操作によってセットアップを選択し「ピント確認」機能を設定する場合、液晶モニタ６に図２（ａ）（ｂ）および（ｃ）で示すような設定画面を表示する。
拡大制御手段はＤＳＰ３１により実現され、ＤＳＰ３１は、予め決められている拡大倍率で、選択されたフォーカスフレーム位置の画像を拡大するように制御する。また、ＤＳＰ３１は、撮影直後に拡大画のレビュー表示を自動的に行うレビュー表示制御手段の機能を有する。
「ピント確認」が設定されると、撮影時に選択されたフォーカスフレームの被写体が撮影直後に拡大表示される。
【００１３】
電源電圧はレギュレータ（１）３３ａおよび（２）３３ｂによりそのレベルが調整されてシステムＣＰＵ２４およびＣＣＤ回路ブロック２５にそれぞれ供給される。システムＣＰＵ２４は、カメラ部１１の測距，測光，ホワイトバランス処理などの動作が終了した後、ＣＣＤ回路ブロック２５に対し、所定のタイミングで電源をオンし、シャッタ動作終了によりオフ制御を行う。ＣＣＤ回路ブロック２５により読み取った蓄積データは専用ＩＣ３０に転送され、Ａ／Ｄ変換などの処理を行った後、ディジタルシグナルプロセッサ（ＤＳＰ）３１により画像形式変換などの処理が行われる。
上記システムＣＰＵ２４とＤＳＰ３１の間は、双方向通信が行われるようになっている。
【００１４】
図４は、ピント拡大確認機能の動作を説明するためのフローチャートである。カメラＣＰＵ１４の起動により、システムＣＰＵ２４は、光学系から入力された被写体像をＣＣＤ回路ブロック２５で電気信号に変換し、専用ＩＣ（Ａ／Ｄ）３０によりディジタル信号に変換してＤＳＰ３１により液晶モニタ６に表示できる画像形式に変換する。カメラＣＰＵ１４はレリーズボタンの半押しにより測距回路１６を起動し測距が開始する（ステップ（以下「Ｓ」という）４０１）。システムＣＰＵ２４は画像をキャプチャし（Ｓ４０２）、専用ＩＣ３０，ＤＳＰ３１を介して液晶モニタ６に表示する。図５（ａ）に光学ファインダ３７の表示例が示されている。被写体３５と背景画３４が写し出されている。この画像についてカメラＣＰＵ１４は、マニュアルフォーカスかオートフォーカスかの判定をする。
【００１５】
フォーカスターゲットは５点測距であり、右上のフォーカスターゲット３６が選択ターゲットであり、被写体３５の上半身部分にピントがあっている状態である。オートフォーカスの場合、システムＣＰＵ２４はピント検出ターゲットを拡大の中心に設定する（Ｓ４０５）。一方、マニュアルフォーカスの場合には、ユーザが選択したターゲットを拡大の中心に設定する。
メモリ３２に蓄積された画像は、ＤＳＰ３１で画像処理され（Ｓ４０６）、指定された位置、すなわち選択ターゲット３６の位置を中心に液晶モニタ６全面に拡大表示する。図５（ｂ）に撮影直後の被写体３５の拡大画像が液晶モニタ６に示されている。これにより、ユーザは撮影した画像を撮影直後に確認することができる。
【００１６】
図６は、ピント位置およびピント位置を中心に前後複数箇所のピント確認機能を説明するためのフローチャートである。
この例はピント位置，前ピン，後ピンの３箇所の位置を１回のレリーズで撮影するモードである。
このモード状態において、ユーザがレリーズを押すと、カメラＣＰＵ１４は測距回路１６を起動し、前ピン位置にレンズを駆動し（Ｓ６０１）、シャッタ制御回路１７によりシャッタを切る。システムＣＰＵ２４は、ＣＣＤ回路ブロック２５により画像を取り込み、専用ＩＣ３０，ＤＳＰ３１を介してメモリ３２に蓄積する（Ｓ６０２）。
【００１７】
つぎにカメラＣＰＵ１４はレンズを駆動してピント位置にもたらし（Ｓ６０３）、合焦位置の画像をメモリ３２に蓄積する（Ｓ６０４）。
ついで、カメラＣＰＵ１４は後ピン位置にレンズを駆動し（Ｓ６０５）、最後に後ピン位置の画像をメモリ３２に蓄積する（Ｓ６０６）。
システムＣＰＵ２４は、３駒の撮影が完了すると、引き続きメモリ３２に蓄積された前ピン位置の画像をＤＳＰ３１に読み出し、前ピン位置の画像の拡大処理を行い（Ｓ６０７）、液晶モニタ６に拡大画像表示する（Ｓ６０８）。このときの拡大倍率は、システムで予め設定されている倍率である。例えば、光学ファインダ内で表示される倍率の２倍〜８倍程度である。
【００１８】
システムＣＰＵ２４は、ＳＷ状態入力部２８からの信号を監視し、画像送りの操作をユーザが行うか否かの判定を行う（Ｓ６０９）。ユーザが送り操作を行うと、ＳＷ状態入力部２８から操作信号が送られ、つぎのピント位置の画像をメモリ３２からＤＳＰ３１に読み出し、ピント位置の画像の拡大処理を行い（Ｓ６１０）、液晶モニタ６に拡大画像表示する（Ｓ６１１）。
つぎにシステムＣＰＵ２４は、ＳＷ状態入力部２８からの信号を監視し、画像送りの操作をユーザが行うか否かの判定を行う（Ｓ６１２）。ユーザが送り操作を行うと、ＳＷ状態入力部２８から操作信号が送られ、つぎの後ピン位置の画像をメモリ３２からＤＳＰ３１に読み出し、後ピン位置の画像の拡大処理を行い（Ｓ６１３）液晶モニタ６に拡大画像表示する（Ｓ６１４）。
ユーザは画像送り操作をするだけで前ピン位置，ピント位置および後ピン位置の画像のピントの具合を拡大画像で順番に確認することができる。
【００１９】
以上の実施の形態はディジタル一眼レフカメラについて説明したが、コンパクトタイプのディジタルカメラについても同様に実施することができる。
また、拡大倍率として２倍〜８倍の例を示したが、これらの倍率以上でよいのは勿論である。また、拡大倍率をユーザが予め選択できるようにすることも可能である。さらに１回のレリーズで各レンズ位置について３駒撮影する場合の例について説明したが、４駒以上連続して撮影する場合でも良い。さらに連写で多数の駒を撮影する場合にも適用することができる。
【００２０】
【発明の効果】
以上、説明したように本発明は、撮影時、被写体のピント状態を確認する位置を選択し、撮影直後に選択した位置の被写体を拡大してレビュー表示制御手段でモニタに拡大表示するので、ユーザは特別の操作をすることなく撮影直後に撮影した画像を拡大表示で確認することができるという効果がある。
また、１回のレリーズで複数枚のピント位置を撮影するモードにおいても、撮影直後に最初の画像の拡大画像が表示され、後は画像送り操作をするだけで、２枚以降の画像の拡大表示を順番に確認できるという効果がある。
【図面の簡単な説明】
【図１】本発明によるピント確認方式を適用したディジタルカメラの外観を示す斜視図である。
【図２】ピント確認機能の設定を説明するための図である。
【図３】本発明によるピント確認方式の回路の実施の形態を示すブロック図である。
【図４】ピント確認機能の動作を説明するためのフローチャートである。
【図５】画面内の構図の一例を示す図である。
【図６】ピント位置およびピント位置を中心に前後複数箇所のピント確認機能を説明するためのフローチャートである。
【符号の説明】
１　ディジタルカメラ
２　モードダイヤル
３　モードダイヤルロック解除ボタン
４　キャンセルボタン
５　Ｗ．ＢＡＬ／決定ボタン
６　液晶モニタ
７　ディスプレイボタン
８　オート選択レバー
９　フォーカスボタン
３４　背景画
３５　被写体
３６　選択ターゲット
３７　光学ファインダ
【図１】
2004064259.tif 000003
【図２】
2004064259.tif 000004
【図３】
2004064259.tif 000005
【図４】
2004064259.tif 000006
【図５】
2004064259.tif 000007
【図６】
2004064259.tif 000008